(57)【特許請求の範囲】
【請求項１】
接触調査システムであって、
放送局と、
調査世帯システムと、
調査サーバと、
を備え、
前記放送局は、
制御日時に対応した時間単位毎に、放送局毎に重複しないように自局に割り当てられた予め定められた番号空間を用いて埋込コードとし、予め定められたチャンネル及び制御日時及び埋込コード及び番組・ＣＭコードを含む制御スケジュールを作成し、
番組・ＣＭコード及びコンテンツを含む入力信号を複数入力し、
各制御スケジュールに基づき、番組・ＣＭコードにより前記入力信号を選択し、前記入力信号に、制御日時に対応した時間単位毎に各制御スケジュールによる前記埋込コードを埋め込んだコンテンツを作成し、前記制御日時を放送日時として前記コンテンツを放送し、
各制御スケジュールに基づき、前記チャンネル、制御日時による埋込日時、前記埋込コード、前記番組・ＣＭコードを含む埋込データを作成して、ひとつ又は複数の前記埋込データを前記調査サーバに送信し、
前記調査世帯システムは、
前記放送局から受信したコンテンツから前記埋込コードを検出し、
前記埋込コードを検出したタイミングの検出日時と、検出した前記埋込コードとを対応付けた視聴レコードを検出日時毎に作成し、
予め設定された世帯コードを前記視聴レコードに付したひとつ又は複数の視聴データを前記調査サーバに送信し、
前記調査サーバは、
前記放送局からの前記埋込データと、前記調査世帯システムからの前記視聴データとを、前記埋込コードにより紐づけした番組・ＣＭ視聴データを作成して結果蓄積部に記憶する、
接触調査システム。
【請求項２】
請求項１に記載の接触調査システムにおいて、
前記放送局は、
チャンネル、制御日時、埋込コード、番組・ＣＭコードを含む制御スケジュールを予め記憶する制御スケジュールテーブルと、
チャンネル、埋込日時、埋込コード、番組・ＣＭコードを含む埋込データを記憶する蓄積部と、
処理部と、
を備え、
前記処理部は、
前記制御スケジュールテーブルを参照し、制御日時に対応した時間単位毎に各制御スケジュールによる前記埋込コードを埋め込んだコンテンツを放送し、
各制御スケジュールによる、前記埋込データを作成して、前記蓄積部に記録し、
前記蓄積部を参照し、ひとつ又は複数の前記埋込データを前記調査サーバに送信する
ことを特徴とする接触調査システム。
【請求項３】
請求項２に記載の接触調査システムにおいて、
前記処理部は、前記埋込データを、音声透かし若しくは画像透かし若しくは他の透かし技術により埋め込むこと、又は、コンテンツのヘッダ若しくはコンテンツのペイロード若しくは他の付加情報に含めることを特徴とする接触調査システム。
【請求項４】
請求項１乃至３のいずれかに記載の接触調査システムにおいて、
前記放送局の各々に前記番号空間を割り当てて提供する発番システムをさらに備えたことを特徴とする接触調査システム。
【請求項５】
請求項４に記載の接触調査システムにおいて、
前記放送局は、
前記発番システムが割り当てた番号空間を前記埋込コードとし、予め定められたチャンネル及び制御日時及び番組・ＣＭコードにより、前記制御スケジュールを作成する制御スケジュール作成システムを備えたことを特徴とする接触調査システム。
【請求項６】
請求項１乃至５のいずれかに記載の接触調査システムにおいて、
前記番号空間が連続番号であることを特徴とする接触調査システム。
【請求項７】
請求項１乃至６のいずれかに記載の接触調査システムにおいて、
前記調査世帯システムは、前記放送局から受信したコンテンツを記録装置に記録し、前記記録装置から再生したコンテンツから、前記埋込コードを検出し、検出日時及び前記埋込コードを含む視聴データを作成して送信することを特徴とする接触調査システム。
【請求項８】
請求項１乃至７のいずれかに記載の接触調査システムにおいて、
前記調査世帯システムは、
検出日時及び埋込コードを含む視聴レコードを記憶する視聴レコードテーブルと、
前記視聴レコードを作成し、前記視聴レコードテーブルに記録し、前記視聴レコードテーブルから読み出した視聴レコードに、予め設定された世帯コードを付したひとつ又は複数の視聴データを、前記調査サーバに送信する測定機と、
を備えたことを特徴とする接触調査システム。
【請求項９】
請求項１乃至８のいずれかに記載の接触調査システムにおいて、
前記放送局及び／又は前記調査世帯システムは、それぞれ、手動操作によるタイミングで、又は、予め設定された期間又は時刻又は他の自動によるタイミングで、ひとつ又は複数の埋込データ及び／又はひとつ又は複数の視聴データを送信することを特徴とする接触調査システム。
【請求項１０】
請求項１乃至９のいずれかに記載の接触調査システムにおいて、
調査サーバは、
世帯コード、検出日時、埋込コード、番組・ＣＭコードを含む番組・ＣＭ視聴データを記憶する結果蓄積部と、
調査サーバ処理部と
を備え、
前記調査サーバ処理部は、
前記放送局から受信した埋込データと、前記調査世帯システムから受信した視聴データとを、埋込コードをキーとして紐付けして前記番組・ＣＭ視聴データを作成して、前記埋込データの情報と前記視聴データの情報とを含む前記番組・ＣＭ視聴データを前記結果蓄積部に記憶することを特徴とする接触調査システム。
【請求項１１】
請求項１０に記載の接触調査システムにおいて、
前記調査サーバ処理部は、手動操作によるタイミングで、又は、予め設定された期間又は時刻又は他の自動によるタイミングで、前記結果蓄積部からひとつ又は複数の前記番組・ＣＭ視聴データを読み出し、表示若しくは出力すること、又は、他の装置へ送信することを特徴とする接触調査システム。
【請求項１２】
請求項１０に記載の接触調査システムにおいて、
前記調査サーバは、
前記放送局から受信した埋込データを蓄積する埋込データ受信蓄積部と、
前記調査世帯システムから受信した視聴データを蓄積する視聴データ受信蓄積部と
を備え、
前記調査サーバ処理部は、手動操作によるタイミングで、又は、予め設定された期間又は時刻又は他の自動によるタイミングで、前記埋込データ受信蓄積部と前記視聴データ受信蓄積部を参照して、前記番組・ＣＭ視聴データを作成する
ことを特徴とする接触調査システム。
【請求項１３】
請求項１乃至１２のいずれかに記載の接触調査システムにおいて、
前記埋込データ、及び／又は、前記番組・ＣＭ視聴データは、前記放送局の予め定められた放送局コード、及び／又は、前記チャンネル、及び／又は、前記制御日時による埋込日時をさらに含むことを特徴とする接触調査システム。
【請求項１４】
接触調査システムにおける接触調査方法であって、
前記接触調査システムは、放送局と、調査世帯システムと、調査サーバとを備え、
前記放送局は、
制御日時に対応した時間単位毎に、放送局毎に重複しないように自局に割り当てられた予め定められた番号空間を用いて埋込コードとし、予め定められたチャンネル及び制御日時及び埋込コード及び番組・ＣＭコードを含む制御スケジュールを作成し、
番組・ＣＭコード及びコンテンツを含む入力信号を複数入力し、
各制御スケジュールに基づき、番組・ＣＭコードにより前記入力信号を選択し、前記入力信号に、制御日時に対応した時間単位毎に各制御スケジュールによる前記埋込コードを埋め込んだコンテンツを作成し、前記制御日時を放送日時として前記コンテンツを放送し、
各制御スケジュールに基づき、前記チャンネル、制御日時による埋込日時、前記埋込コード、前記番組・ＣＭコードを含む埋込データを作成して、ひとつ又は複数の前記埋込データを前記調査サーバに送信し、
前記調査世帯システムは、
前記放送局から受信したコンテンツから前記埋込コードを検出し、
前記埋込コードを検出したタイミングの検出日時と、検出した前記埋込コードとを対応付けた視聴レコードを検出日時毎に作成し、
予め設定された世帯コードを前記視聴レコードに付したひとつ又は複数の視聴データを前記調査サーバに送信し、
前記調査サーバは、
前記放送局からの前記埋込データと、前記調査世帯システムからの前記視聴データとを、前記埋込コードにより紐づけした番組・ＣＭ視聴データを作成して結果蓄積部に記憶する、
ことを特徴とする接触調査方法。
【請求項１５】
接触調査装置であって、
世帯コード、検出日時、埋込コード、チャンネル、埋込日時、番組・ＣＭコードを含む番組・ＣＭ視聴データを記憶する結果蓄積部と、
処理部と
を備え、
前記処理部は、
放送局が、制御日時に対応した時間単位毎に、放送局毎に重複しないように自局に割り当てられた予め定められた番号空間を用いて埋込コードとし、予め定められたチャンネル及び制御日時及び埋込コード及び番組・ＣＭコードを含む制御スケジュールを作成し、番組・ＣＭコード及びコンテンツを含む入力信号を複数入力し、各制御スケジュールに基づき、番組・ＣＭコードにより前記入力信号を選択し、前記入力信号に、制御日時に対応した時間単位毎に各制御スケジュールによる前記埋込コードを埋め込んだコンテンツを作成し、前記制御日時を放送日時として前記コンテンツを放送し、調査世帯システムが、前記放送局から受信したコンテンツから前記埋込コードを検出し、前記埋込コードを検出したタイミングの検出日時と、検出した前記埋込コードとを対応付けた視聴レコードを検出日時毎に作成し、予め設定された世帯コードを前記視聴レコードに付したひとつ又は複数の視聴データを送信した、前記視聴データを受信し、
前記放送局が、各制御スケジュールに基づき、前記チャンネル、制御日時による埋込日時、前記埋込コード、前記番組・ＣＭコードを含む埋込データを作成して送信した、前記埋込データを受信し、
前記放送局からの前記埋込データと、前記調査世帯システムからの前記視聴データとを、前記埋込コードにより紐づけした番組・ＣＭ視聴データを作成して前記結果蓄積部に記憶する
ことを特徴とする接触調査装置。
【発明の詳細な説明】
【技術分野】
【０００１】
本発明は、接触調査システム及び方法及び装置に係り、特に、透かしを利用した番組及び／又はコマーシャル（ＣＭ）の視聴者による視聴・聴取等の接触に関する接触調査システム及び方法及び装置に関する。
【背景技術】
【０００２】
従来より、放送局から放送された番組を特定するために、放送信号に透かしデータを埋め込む技術がある。
特許文献１には、「想定し得る画像データの劣化パターンに基づいて複数の認証コードを生成してそれを短縮し、電子透かし埋込装置が生成した短縮された認証コードと比較する」（要約）ようにした電子透かし埋込装置、電子透かし検出装置、及びプログラムが記載されている。
【先行技術文献】
【特許文献】
【０００３】
【特許文献１】特開２００４−８０４１２号公報
【発明の概要】
【発明が解決しようとする課題】
【０００４】
放送信号に透かしデータを埋め込む処理では、埋め込みデータ長を節約し、簡便に、いつどの放送局から放送された番組またはＣＭが、いつ接触されたかを特定したいという要望がある。
特許文献１に記載された「電子透かし埋込装置、電子透かし検出装置，及びプログラム」は、短縮コードを埋めるが、改竄検知を行うものであり、テーブルを参照して接触状況を特定する技術とは異なる。
また、埋め込み透かしデータにより接触状況の調査を行う際、比較する番組・ＣＭのデータが膨大であると、高負荷・同時アクセスでサーバで負荷がかかるという課題がある。
【０００５】
本発明は、以上の点に鑑み、埋め込みデータ長を節約し、簡便に、いつどの放送局から放送された番組及び／又はＣＭが、視聴者によりいつ視聴・聴取等の接触がされたかを特定することを目的とする。
【課題を解決するための手段】
【０００６】
本発明の第１の解決手段によると、
チャンネル、制御日時、放送局毎に予め定められた番号空間を用いる埋込コード、番組・ＣＭコードを含む予め定められた制御スケジュールに基づき、時間単位毎に前記埋込コードをコンテンツに埋め込んで前記コンテンツを放送し、前記制御スケジュールに基づき、前記埋込コード、前記番組・ＣＭコードを含む埋込データを作成して送信する放送局と、
前記放送局から受信及び再生したコンテンツから前記埋込コードを検出し、予め定められた世帯コード、検出日時及び前記埋込コードを含む視聴データを作成して送信する調査世帯システムと、
前記放送局からの前記埋込データと、前記調査世帯システムからの前記視聴データとを、前記埋込コードにより紐づけした番組・ＣＭ視聴データを作成して結果蓄積部に記憶する調査サーバと、
を備えた接触調査システムが提供される。
【０００７】
本発明の第２の解決手段によると、
接触調査システムにおける接触調査方法であって、
前記接触調査システムは、放送局と、調査世帯システムと、調査サーバとを備え、
前記放送局は、チャンネル、制御日時、放送局毎に予め定められた番号空間を用いる埋込コード、番組・ＣＭコードを含む予め定められた制御スケジュールに基づき、時間単位毎に前記埋込コードをコンテンツに埋め込んで前記コンテンツを放送し、前記制御スケジュールに基づき、前記埋込コード、前記番組・ＣＭコードを含む埋込データを作成して送信し、
前記調査世帯システムは、前記放送局から受信及び再生したコンテンツから前記埋込コードを検出し、予め定められた世帯コード、検出日時及び前記埋込コードを含む視聴データを作成して送信し、
前記調査サーバは、前記放送局からの前記埋込データと、前記調査世帯システムからの前記視聴データとを、前記埋込コードにより紐づけした番組・ＣＭ視聴データを作成して結果蓄積部に記憶する
ことを特徴とする接触調査方法が提供される。
【０００８】
本発明の第３の解決手段によると、
接触調査装置であって、
世帯コード、検出日時、埋込コード、チャンネル、埋込日時、番組・ＣＭコードを含む番組・ＣＭ視聴データを記憶する結果蓄積部と、
処理部と
を備え、
前記処理部は、
放送局が、チャンネル、制御日時、放送局毎に予め定められた番号空間を用いる埋込コード、番組・ＣＭコードを含む予め定められた制御スケジュールに基づき、時間単位毎に前記埋込コードをコンテンツに埋め込んで前記コンテンツを放送し、調査世帯システムが、前記放送局から受信及び再生したコンテンツから前記埋込コードを検出し、予め定められた世帯コード、検出日時及び前記埋込コードを含む視聴データを作成して送信した、前記視聴データを受信し、
前記放送局が、前記制御スケジュールに基づき、前記埋込コード、前記番組・ＣＭコードを含む埋込データを作成して送信した、前記埋込データを受信し、
前記放送局からの前記埋込データと、前記調査世帯システムからの前記視聴データとを、前記埋込コードにより紐づけした番組・ＣＭ視聴データを作成して前記結果蓄積部に記憶する
ことを特徴とする接触調査装置が提供される。
【発明の効果】
【０００９】
本発明によると、埋め込みデータ長を節約し、簡便に、いつどの放送局から放送された番組及び／又はＣＭが、視聴者によりいつ視聴・聴取等の接触がされたかを特定することができる。
【図面の簡単な説明】
【００１０】
【図１】接触調査システムの構成図である。
【図２】発番システム１が提供する連番空間の説明図である。
【図３】放送局２の構成図である。
【図４Ａ】制御スケジュールテーブルの説明図である。
【図４Ｂ】制御スケジュールテーブルの説明図である。
【図５】埋込データ作成・送信処理のフローチャートである。
【図６】埋込タイミング及び埋込データの説明図（１）である。
【図７】埋込タイミング及び埋込データの説明図（２）である。
【図８】調査世帯システム３の構成図である。
【図９】視聴レコードテーブルの説明図である。
【図１０】調査サーバ４の構成図である。
【図１１】埋込データ受信蓄積部の説明図である。
【図１２】視聴データ受信蓄積部の説明図である。
【図１３】結果蓄積部（番組・ＣＭ視聴データ）の説明図である。
【発明を実施するための形態】
【００１１】
１．システム
図１は、接触調査システムの構成図である。
接触調査システムは、発番システム１、放送局２、調査世帯システム３、調査サーバ４を備える。発番システム１は、各放送局２に連番空間Ｓｉ（連続番号）を割当て、その連続番号を各放送局２に提供する。放送局２は、発番システム１より割当てられた連番空間Ｓｉ（連続番号）が与えられ、連続番号を用いて予め設定された制御スケジュールに従い、埋込コードを埋め込んだ番組・ＣＭ等のコンテンツを作成して調査世帯システム３に放送し、また、埋込データを作成して調査サーバ４に送信する。調査世帯システム３は、放送局２からコンテンツを受信し、コンテンツを再生又は録画再生し、視聴データを作成して調査サーバ４に送信する。調査サーバ４は、放送局２からの埋込データと、調査世帯システム３からの視聴データとを照合し、番組・ＣＭ視聴データを生成する。
なお、本実施の形態では、一例として連番空間（連続番号）を用いる場合について説明するが、連続番号に限らず、離散的な番号・ランダムな番号・一部連続な番号等の連続番号以外の適宜の予め定められた番号による番号空間を用いるようにしてもよい。
【００１２】
２．発番システム
図２は、発番システム１が提供する連番空間の説明図である。
発番システム１は、連続番号で構成された連番空間Ｓを、ｎ個の各放送局ｉ（ｉ＝１〜ｎ、ｎは放送局の数）に、重複しないように分割して、各放送局の連番空間Ｓｉ（連続番号）を割り当てる。分割の仕方は、例えば放送局のチャンネル数や番組・ＣＭ等のコンテンツの数・容量等に応じて、マニュアル又は自動で適宜予め設定することができる。なお、連続番号の数は、同数でも異なる数でもよく、適宜設定することができる。
例えば、連番空間Ｓを０００００１〜９９９９９９の連続番号としたとき、各放送局の連番空間Ｓｉは次のように表すことができる。
Ａ局連番：０００００１〜０９９９９９
Ｂ局連番：１００００１〜１９９９９９
・・・・・・
【００１３】
３．放送局
図３は、放送局２の構成図である。
放送局２は、例えば、不特定多数の受け手を対象に素材・コンテンツをテレビ、パソコン、ラジオ、携帯機器等に放送・配信・報道するような装置・システム・機関・組織・主体などを指す。また、テレビ、パソコン、ラジオ、携帯機器等の様々なコンテンツ・素材を放送・配信する放送局にも適用することができる。「放送」とは、テレビ放送、ラジオ放送、地上波・衛星放送、ケーブル放送、屋外放送、屋外広告、館内放送、店内放送等の様々な放送を含むことができる。
放送局２は、処理部（ＣＰＵ）２０、蓄積部２４、制御スケジュール作成システム２５を備える。処理部２０は、埋込部２１、コード決定部２２、送出部２３を有する。
【００１４】
制御スケジュール作成システム２５は、発番システム１から自局に割当てられた連番空間Ｓｉ（連続番号）（ｉは自局の識別子）を用いて制御スケジュールを作成して、制御スケジュールを制御スケジュールテーブル２５１に保存する（詳細は後述）。
コード決定部２２は、制御スケジュール作成システム２５の制御スケジュールテーブル２５１を参照し、埋込部２１に制御スケジュールを与える。また、コード決定部２２は、制御スケジュールに基づき、予め定められた放送局コード、チャンネル、制御日時による埋込日時、埋込コード、番組・ＣＭコードを含む埋込データを作成して、蓄積部２４に埋込データを保存する。
【００１５】
埋込部２１は、チャンネル、制御日時、放送局毎に予め定められた連続番号である埋込コード、番組・ＣＭコードを含む予め定められた制御スケジュールに基づき、時間単位毎に埋込コードを埋め込んだコンテンツを作成する。
送出部２３は、埋込済み信号をコンテンツとして放送する。また、送出部２３は、蓄積部２４に保存された埋込データを、手動又は定期的等の予め定められたタイミングで、調査サーバ４へ送信する。
なお、予め定められたタイミングとは、例えば、予め設定された期間又は時刻又は他のタイミング等をいう（以下同様）。
【００１６】
図４に、制御スケジュールテーブルの説明図を示す。図４（Ａ）は、放送局：Ａ、Ｃｈ：ｙｙｙ、２０１４年１月１日の例を示し、また、図４（Ｂ）は、放送局：Ｂ、Ｃｈ：ｙｙｚ、２０１４年１月１日の例を示す。
制御スケジュールテーブル２５１は、放送局のチャンネル（Ｃｈ）と、放送するために必要な制御をするために必要な制御日時（例えば、放送日時等）と、埋込コード及び番組・ＣＭコードを含む。
制御スケジュール作成システム２５は、例えば、チャンネル（Ｃｈ）、制御日時、番組・ＣＭコードを予め設定又は割振り、また、埋込コードを、発番システム１から与えられた連続番号を用いて割当てること等により、制御スケジュールテーブル２５１を作成することができる。
【００１７】
図５は、放送局２による埋込データ作成・送信処理のフローチャートである。
放送局２において、処理が開始されると、埋込部２１は、放送されるコンテンツの元となる入力信号（埋込み前信号）を入力する（Ｓ１０１）。入力信号は、番組・ＣＭコードと、番組・ＣＭコードと対応した番組・ＣＭの放送内容（コンテンツ）を含む。コード決定部２２が、制御スケジュールテーブル２５１に従って、埋込コード、制御日時（例えば、放送日時等）、チャンネル（Ｃｈ）（例えば、埋込チャンネル、放送チャンネル等）、番組・ＣＭコードを含む制御スケジュールのレコードを順次読み出して、埋込部２１に送る（Ｓ１０３）。埋込部２１は、各制御スケジュールについて、番組・ＣＭコードにより入力信号（コンテンツ）を選択し、入力信号のコンテンツに、制御日時に対応した時間単位毎に各制御スケジュールによる埋込コードを埋め込んだ埋込済み信号を作成する（Ｓ１０５）。なお、埋込コードの埋込み処理としては、例えば、音声透かし又は映像（画像）透かし等の透かし技術による処理、データヘッダ又はデータベイロード等に含める処理、他の付加処理情報として含める処理等、適宜の処理を用いることができる。また、コード決定部２２は、予め設定された放送局コード、各制御スケジュールによる、チャンネル、制御日時による埋込日時、埋込コード、番組・ＣＭコードを含む埋込データを作成して、蓄積部に記録する（Ｓ１０７）。
送出部２３は、埋込済み信号を埋込部２１から受け、制御日時を放送日時としてコンテンツとして放送する（Ｓ１０９）。また、送出部２３は、蓄積部２４を参照し、手動又は定期的等の予め定められたタイミングで、記録しておいた埋込データを調査サーバ４に送信する（Ｓ１１１）。
【００１８】
図６に、埋込タイミング及び埋込データの説明図（１）を示す。
上述のように、放送されるコンテンツの元となる入力信号に、連番が、埋込コードとして埋め込み単位ごと（時間単位ごと）に埋められる。そして、埋込部２１において、入力信号に対して、埋込コードが埋め込まれたコンテンツが生成され、送出部２３がコンテンツを送出する。
上図では、一例として、放送局Ａ、Ｃｈ：ｙｙｙ、２０１４年１月１日１０：００：００以降における埋め込みタイミングイメージを示す。このように、１０：００：００〜１０：００：１０の間には埋込コード０００００１が埋め込まれ、１０：００：１０〜１０：００：２０の間には埋込コード０００００２が埋め込まれ、１０：００：２０〜１０：００：３０の間には埋込コード０００００３が埋め込まれる等のように、以下、順に埋込コードが埋め込まれる。
下図では、この場合の、埋め込みデータを示す。埋め込みデータは、放送局コード、Ｃｈ、埋込日時、埋込コード、番組・ＣＭコードを含む。
なお、１０：００：１０〜１０：００：２０の間は、ＣＭのコンテンツ「ａｂｃ００１」であり、１０：００：３０〜１０：００：４０の間は、ＣＭのコンテンツ「ｄｅｆ００２」であり、他は、番組のコンテンツ「ｐｐｐ１０１，１０２，１０３・・・」であることを示している。
【００１９】
図７に、埋込タイミング及び埋込データの説明図（２）を示す。
上図では、図６上図と同様に、一例として、放送局Ｂ、Ｃｈ：ｙｙｚ、２０１４年１月１日１０：００：００以降における埋め込みタイミングイメージを示す。下図は、図６下図と同様に、この場合の、埋め込みデータを示す。
【００２０】
４．調査世帯システム
図８は、調査世帯システム３の構成図である。
調査世帯システム３は、再生機３１、測定機３２を備える。
再生機３１は、放送局２からコンテンツを受信し、再生する。視聴者は、再生されたコンテンツを視聴・聴取（接触）する。再生機３１としては、放送コンテンツを受信及び再生する受像機（受信機）、又は、放送コンテンツを録画及び再生する録画再生機を用いることができる。なお、再生機３１は、ＤＶＤ、ブルーレイ等を再生する再生機としてもよい。再生機３１は、受像機（受信機）と再生機の両機能を備えた装置でもよいし、さらに録画機能を備えてもよい。再生機３１は、例えば、テレビ、パソコン、スマートフォン、パソコン、タブレット、ワンセグ端末、セットトップボックス、電話機、カーナビゲーション機、屋内又は屋外放送システム、案内システム、玩具、遊具等の各種の受信機又は再生機を用いることができる。また、再生機３１はコンピュータ等で動作するソフトウェアでもよい。
【００２１】
測定機３２は、視聴レコードテーブル３２１を有する。測定機３２は、再生機３１より放送音声などのコンテンツ（ストリーム）を受信する（信号、センス等）。測定機３２は、コンテンツ（ストリーム）から埋込コードを検出する。測定機３２は、埋込コードが検出された日時・タイミング（検出日時）と、検出した埋込コードとを対応付けた視聴レコードを作成し、それを視聴レコードテーブル３２１に記録する。
つぎに、測定機３２は、手動又は定期的等の予め定められたタイミングで、視聴レコードテーブル３２１から視聴レコードを読み出し、視聴レコードに、調査世帯システム３に予め設定された世帯コードを付した視聴データを、調査サーバ４に送信する。なお、世帯コードは、調査世帯システムを識別するための適宜の識別情報とすることができる。
【００２２】
図９は、視聴レコードテーブルの説明図である。
視聴レコードテーブル３２１は、埋込コードが検出された日時・タイミング（検出日時）と、検出したコード（埋込コード）とを対応付けた視聴レコードが記憶される。
【００２３】
５．調査サーバ
図１０は、調査サーバ４の構成図である。
調査サーバ４は、処理部（ＣＰＵ）４１、埋込データ受信蓄積部４２、視聴データ受信蓄積部４３、結果蓄積部４４を備える。
【００２４】
図１１に、埋込データ受信蓄積部の説明図を示す。
埋込データ受信蓄積部４２は、埋込コード、放送局コード、Ｃｈ、埋込日時、番組・ＣＭコードを含む埋込データを記憶する。
埋込データは、放送局２から、手動又は定期的等の予め定められたタイミングで、調査サーバ４に送信される。調査サーバ４は、放送局２から埋込データを受信し、必要に応じて、図示のようなフォーマットで、並びを入れ替えて、埋込データ受信蓄積部４２に蓄積する。調査サーバ４は、埋込データ受信蓄積部４２に記憶された埋込データに基づき、埋込コードから、放送局コード、Ｃｈ、埋込日時、番組・ＣＭコードが、容易に参照できるようにする。
【００２５】
図１２は、視聴データ受信蓄積部の説明図である。
視聴データ受信蓄積部４３は、世帯コード、検出日時、埋込コードを含む視聴データを記憶する。なお、この例では、世帯コードが「ｚｚｚ」である場合を示す。
【００２６】
調査サーバ４では、処理部４１は、手動又は定期的等の予め定められたタイミングで、放送局２から埋込データを受信し、埋込データを埋め込みデータ受信蓄積部４２に蓄積する。
処理部４１は、手動又は定期的等の予め定められたタイミング等で調査世帯システム３から視聴データを受信し、視聴データを視聴データ受信蓄積部４３に蓄積する。
なお、視聴データ、埋込データの受信は、調査サーバ４から要求してもよいし、放送局２及び調査世帯システム３が主体として送信するようにしてもよい。
【００２７】
処理部４１は、手動又は定期的等の予め定められたタイミングで、視聴データの埋込コードをキーとして、埋込データの埋込コードを探索して、視聴データと埋込データとを紐付けし、番組・ＣＭ視聴データを生成し、結果蓄積部４４に記録する。
【００２８】
図１３は、結果蓄積部の説明図である。
結果蓄積部４４は、世帯コード、検出日時、埋込コード、放送局コード、Ｃｈ、埋込日時、番組・ＣＭコードを含む番組・ＣＭ視聴データを記憶する。
調査サーバ４は、処理部４１において、視聴データ受信蓄積部４３の視聴データに含まれる埋込コードを使用し、埋め込みデータ受信蓄積部４２の埋込データから埋込コードを探索し、埋込コードにより紐づけられた埋込データ（放送局コード、Ｃｈ、埋込日時（放送日時）、番組・ＣＭコード）を抽出し、番組・ＣＭ視聴データにおける、視聴データ（世帯コード、抽出日時、埋込コード）に対して記憶する。
【００２９】
処理部４１は、視聴データ受信蓄積部４３を参照して、番組・ＣＭ視聴データを、手動又は定期的等の予め定められたタイミングで、適宜の表示部により表示、適宜の出力部により出力、インターフェースにより他装置へ出力又は転送又は表示等の出力処理を実行することができる。
【００３０】
このように、調査サーバ４は、番組・ＣＭ視聴データにより、世帯の視聴データの埋込コードから、コンテンツの放送局、Ｃｈ、接触番組、接触ＣＭを導くことができる。そして、調査サーバ４は、導かれたデータで、視聴率集計や、ＣＭ視聴率集計が行える。本実施形態によると、透かしとして、放送局コード（放送局ＩＤ）、Ｃｈ（チャンネルコード）、放送日時、及び／又は番組・ＣＭコード等を埋め込むことは不要となる。さらに、本実施の形態によると、リアルタイム視聴だけでなく、タイムシフト視聴の接触も検出することができる。
【産業上の利用可能性】
【００３１】
本発明の接触調査装置及びシステム及び方法及びプログラムは、その各手順をコンピュータに実行させるための接触調査処理プログラム、接触調査処理プログラムを記録したコンピュータ読み取り可能な記録媒体、接触調査処理プログラムを含みコンピュータの内部メモリにロード可能なプログラム製品、そのプログラムを含むサーバ等のコンピュータ等により提供されることができる。
【符号の説明】
【００３２】
１  発番システム
２  放送局
３  調査世帯システム
４  調査サーバ
２０  処理部（ＣＰＵ）
２１  埋込部
２２  コード決定部
２３  蓄積部
２４  送出部
２５  制御スケジュール作成システム
２５１  制御スケジュールテーブル
３１  再生機
３２  測定器
４１  処理部（ＣＰＵ）
４２  埋込データ受信蓄積部
４３  視聴データ受信蓄積部
４４  結果蓄積部
【図１】
0006467150.tif 000002
【図２】
0006467150.tif 000003
【図３】
0006467150.tif 000004
【図４Ａ】
0006467150.tif 000005
【図４Ｂ】
0006467150.tif 000006
【図５】
0006467150.tif 000007
【図６】
0006467150.tif 000008
【図７】
0006467150.tif 000009
【図８】
0006467150.tif 000010
【図９】
0006467150.tif 000011
【図１０】
0006467150.tif 000012
【図１１】
0006467150.tif 000013
【図１２】
0006467150.tif 000014
【図１３】
0006467150.tif 000015